(57)【要約】【課題】指針と目盛を少なくとも有する計器画像を縮小して表示させる際に、情報画像の表示領域を確保可能な表示装置を提供する。【解決手段】表示装置１は、指針および目盛を少なくとも有する計器画像８と計器画像８に組み合わせて配置される情報画像９４とを表示可能な表示パネル２と、計器画像８を縮小して縮小計器画像８ｂを表示可能なように表示パネル２の表示状態を制御する制御手段４、５とを備え、縮小計器画像８ｂを表示する際には、目盛を構成する目盛画像８２ｂの一部に一部を隠蔽するように情報画像９４ｂを重ねて表示する。これにより、指針と目盛を少なくとも有する計器画像を縮小して表示させる際に、情報画像の表示領域を確保できる。【選択図】図２
2008267880.tif 000002
【特許請求の範囲】
【請求項１】
指針および目盛を少なくとも有する計器画像と該計器画像に組み合わせて配置される情報画像とを表示可能な表示パネルと、
前記計器画像を縮小して縮小計器画像を表示可能なように該表示パネルの表示状態を制御する制御手段とを備え、
前記縮小計器画像は、前記目盛を構成する目盛画像の輪郭が部分的に省略された領域を有して表示されるとともに、前記情報画像は該目盛画像の輪郭が省略された領域に表示されることを特徴とする表示装置。
【請求項２】
指針および目盛を少なくとも有する計器画像と該計器画像に組み合わせて配置される情報画像とを表示可能な表示パネルと、
前記計器画像を縮小して縮小計器画像を表示可能なように該表示パネルの表示状態を制御する制御手段とを備え、
前記縮小計器画像を表示する際には、前記目盛を構成する目盛画像の一部に該一部を隠蔽するように前記情報画像を重ねて表示することを特徴とする表示装置。
【請求項３】
前記情報画像と前記目盛画像を重ねて表示している領域において、該情報画像の明度より低い明度で該目盛画像を表示することを特徴とする請求項２に記載の表示装置。
【請求項４】
自動車に搭載される表示装置であって、
前記縮小計器画像は、当該自動車の速度を表示するように構成され、
前記速度を表す数字画像を、前記目盛画像に近接させることを特徴とする請求項１ないし請求項３のいずれか一項に記載の表示装置。
【請求項５】
前記目盛画像は、略円弧状または楕円弧状であり、
前記数字画像を、前記目盛画像によって囲まれた内側に設けることを特徴とする請求項４に記載の表示装置。
【請求項６】
前記制御手段は、前記計器画像と大きさが同じであって前記縮小計器画像と形態が同一または類似する中間計器画像を、該計器画像と該縮小計器画像の表示切替の間で表示させることを特徴とする請求項１ないし請求項５のいずれか一項に記載の表示装置。
【請求項７】
前記制御手段は、前記中間計器画像と前記縮小計器画像の表示切替を、該画像の大きさを徐々に変化させて行うことを特徴とする請求項６に記載の表示装置。
【発明の詳細な説明】
【技術分野】
【０００１】
本発明は、指針と目盛とを少なくとも有する計器画像を縮小して表示可能な表示装置に関するものである。
【背景技術】
【０００２】
マトリックス状に複数の画素が形成されている液晶パネル等の表示パネルを備え、指針と目盛とを少なくとも有する計器画像を表示パネルに縮小して表示可能な表示装置が開示されている（特許文献１を参照）。
【特許文献１】特開平９−１２３８４８号公報
【発明の開示】
【発明が解決しようとする課題】
【０００３】
特許文献１では明確に記載されていないが、例えば、計器画像において円弧状の目盛画像によって囲まれた内側に、メッセージ等を知らせる情報画像を表示させる場合、計器画像を縮小して表示すると、円弧状の目盛画像も縮小する。このため、その内側の面積も縮小し、縮小した計器画像においては、情報画像の表示領域の確保が困難になる。
【０００４】
本発明は、このような事情を考慮してなされたものであり、指針と目盛を少なくとも有する計器画像を縮小して表示させる際に、情報画像の表示領域を確保可能な表示装置を提供することを目的とする。
【課題を解決するための手段】
【０００５】
本発明は上記目的を達成するため、以下の技術的手段を採用する。
【０００６】
請求項１に記載の表示装置は、指針および目盛を少なくとも有する計器画像と計器画像に組み合わせて配置される情報画像とを表示可能な表示パネルと、計器画像を縮小して縮小計器画像を表示可能なように表示パネルの表示状態を制御する制御手段とを備え、縮小計器画像が、目盛を構成する目盛画像の輪郭が部分的に省略された領域を有して表示されるとともに、情報画像が目盛画像の輪郭が省略された領域に表示されることを特徴とする。
【０００７】
この構成では、縮小計器画像において目盛画像の輪郭が部分的に省略された領域に、情報画像を表示する。これにより、計器画像を縮小して表示させる際に、情報画像の表示領域を確保できる。
【０００８】
請求項２に記載の表示装置は、指針および目盛を少なくとも有する計器画像と計器画像に組み合わせて配置される情報画像とを表示可能な表示パネルと、計器画像を縮小して縮小計器画像を表示可能なように表示パネルの表示状態を制御する制御手段とを備え、縮小計器画像を表示する際には、目盛を構成する目盛画像の一部に一部を隠蔽するように情報画像を重ねて表示することを特徴とする。
【０００９】
この構成では、縮小計器画像において目盛画像の一部にこの一部を隠蔽するように情報画像を重ねて表示する。これにより、計器画像を縮小して表示させる際に、情報画像の表示領域を確保できる。
【００１０】
請求項３に記載の表示装置は、情報画像と目盛画像を重ねて表示している領域において、情報画像の明度より低い明度で目盛画像を表示することを特徴とする。これにより、上述の効果を得つつ、情報画像の視認性を確保できる。
【００１１】
請求項４に記載の表示装置は、自動車に搭載される表示装置であって、縮小計器画像が、当該自動車の速度を表示するように構成され、速度を表す数字画像を、目盛画像に近接させることを特徴とする。これにより、上述の効果を得つつ、縮小計器画像は、当該自動車の速度を表示できる。
【００１２】
請求項５に記載の表示装置は、目盛画像が、略円弧状または楕円弧状であり、数字画像を、目盛画像によって囲まれた内側に設けることを特徴とする。これにより、上述の効果を得つつ、縮小計器画像は、当該自動車の速度を表示できる。
【００１３】
請求項６に記載の表示装置は、制御手段が、計器画像と大きさが同じであって縮小計器画像と形態が同一または類似する中間計器画像を、計器画像と縮小計器画像の表示切替の間で表示させることを特徴とする。
【００１４】
この構成では、中間計器画像が、計器画像と同じ大きさで且つ縮小計器画像と形態が同一または類似する。このため、計器画像と縮小計器画像との間で表示を切り替える際、表示切替の間で中間計器画像へ表示を切り替えることによって、計器画像と縮小計器画像との間の表示切替による、画像の変化を緩和できる。即ち、この画像の変化を、計器画像と中間計器画像との間の表示切替による画像の形態の変化と、縮小計器画像と中間計器画像との間の表示切替による画像の大きさの変化とに分けることができる。このため、上述の効果を得つつ、計器画像と縮小計器画像との間の表示切替による画像の変化を緩和できる。
【００１５】
請求項７に記載の表示装置は、制御手段が、中間計器画像と縮小計器画像の表示切替を、画像の大きさを徐々に変化させて行うことを特徴とする。これにより、中間計器画像と縮小計器画像の表示切替による画像の大きさの変化を緩和でき、このため、上述の効果を得つつ、計器画像と縮小計器画像の表示切替による画像の変化をより緩和できる。
【発明を実施するための最良の形態】
【００１６】
以下、本発明による表示装置を図面に基づいて説明する。
【００１７】
図１に示す表示装置１は、例えば、車載用の表示装置として使用され、表示パネルである液晶パネル２と、発光ダイオード３と、制御手段であるＣＰＵ（セントラル・プロセッシング・ユニット）４と描画ＩＣ（集積回路）５と、ＲＯＭ（リード・オンリー・メモリ）４１と、記憶データの書き換えが可能な画像メモリ５１とを備える。
【００１８】
マトリックス状に複数の画素２１が形成されている液晶パネル２は、図示しない薄膜トランジスタ（ＴＦＴ）によって駆動されるタイプのアクティブマトリックス方式の液晶パネルである。また、各画素２１は、赤色画素と緑色画素と青色画素を内蔵し、ＴＦＴのゲートに電圧を印加することによって各画素２１において赤色画素と緑色画素と青色画素に印加する電圧を制御し、これにより、各画素２１において赤色画素と緑色画素と青色画素の各光透過率を制御する。白色光を発する発光ダイオード３は、液晶パネル２の背後に配置されて液晶パネル２を透過照明する光源であり、ＣＰＵ４によって点燈する。赤色画素と緑色画素と青色画素の各光透過率が制御されている各画素２１を発光ダイオード３が透過照明することによって、液晶パネル２にフルカラー表示をさせる。
【００１９】
ＣＰＵ４は、当該自動車の速度を検出する速度センサ６１等の信号を取り込み、これを描画ＩＣ５に入力させ、当該自動車に備わる機器の作動状態を報知するインジケータや当該自動車の異常を警告するウォーニングに関するインジケータ／ウォーニングセンサ６２等の信号を取り込み、これを描画ＩＣ５に入力させる。ＲＯＭ４１には、図２に示す回転メータ画像７と、これを縮小した縮小画像７ｂと、計器画像である速度メータ画像８と、これを縮小した縮小計器画像８ｂと、インジケータ／ウォーニング画像９１−９３ｂと、情報画像であるインジケータ／ウォーニング画像９４−９４ｂの各画像データが記憶されている。
【００２０】
ＣＰＵ４からの指示により、画像データがＲＯＭ４１から画像メモリ５１へ転送され、描画ＩＣ５は、画像メモリ５１の画像データと、入力した計測量やインジケータ／ウォーニング情報に基いて、各画素２１において赤色画素と緑色画素と青色画素に印加する電圧を制御し、複数の画素２１の各表示状態を制御する。これにより、図２に示すように、回転メータ画像７や、これを縮小した縮小画像７ｂや、速度メータ画像８や、これを縮小した縮小計器画像８ｂや、インジケータ／ウォーニング画像９１−９４ｂ等を液晶パネル２に表示させる。
【００２１】
また、ナイトビジョンスイッチ１１がオンされると、ＣＰＵ４は、ナイトビジョンスイッチ１１のオン信号をナイトビジョンＥＣＵ（電子制御ユニット）１０を介して受け取り、赤外線カメラ１２が撮影した第２情報である夜間映像の信号を、ナイトビジョンＥＣＵ１０を介して描画ＩＣ５に入力させる。赤外線カメラ１２は、当該自動車の前方部から照射された赤外線の反射によって夜間映像を撮影するものである。ＣＰＵ４からの指示により、描画ＩＣ５は、この夜間映像の信号に基いて、各画素２１において赤色画素と緑色画素と青色画素に印加する電圧を制御し、複数の画素２１の各表示状態を制御する。これにより、図２（ｃ）に示すように、ナイトビジョン画像１３を液晶パネル２に表示させる。
【００２２】
尚、ナイトビジョンスイッチ１１がオフされている場合、図２（ａ）に示すように、ナイトビジョン画像１３を液晶パネル２に表示しない。
【００２３】
回転メータ画像７は、当該自動車のエンジン回転数を示す回転メータを表す画像であり、エンジン回転数の増減に従って動く（回動する）指針を表す指針画像７１と、指針が指し示す目盛であって指針が回動する方向に沿って配列された目盛を表す目盛画像７２と、指針が指し示す文字を表す文字画像７３とを備える。指針画像７１は、当該自動車のエンジン回転数の増減に従って、図示しない回転中心を中心として回動し、目盛画像７２が、指針画像７１の回動に沿って略円弧状に配列される。
【００２４】
速度メータ画像８は、当該自動車の速度を表示する速度メータを表す画像であり、回転メータ画像７と同様に、当該自動車の速度の増減に従って動く（回動する）指針を表す指針画像８１と、指針が指し示す目盛であって指針が回動する方向に沿って配列された目盛を表す目盛画像８２と、指針が指し示す文字を表す文字画像８３とを備える。指針画像８１は、当該自動車の速度の増減に従って、回転中心８１ｃを中心として回動し、目盛画像８２が、指針画像８１の回動に沿って略円弧状に配列される。インジケータ／ウォーニング画像９１−９４ａは、メッセージ等を含むインジケータとウォーニングとを表す画像である。
【００２５】
以下、本発明の特徴である速度メータ画像８の表示切替を中心にして、図２に基いて説明する。
【００２６】
ナイトビジョンスイッチ１１がオフされている場合、図２（ａ）に示す速度メータ画像８を液晶パネル２に表示し、ナイトビジョンスイッチ１１がオンされると、速度メータ画像８から図２（ｂ）に示す中間計器画像８ａへ表示を切り替える。ナイトビジョンスイッチ１１がオンされてから所定時間（例えば１秒）を経過する間に、図２（ｃ）に示す縮小計器画像８ｂの大きさまで徐々に中間計器画像８ａを縮小して、中間計器画像８ａから縮小計器画像８ｂに表示を切り替える。
【００２７】
縮小計器画像８ｂは、速度メータ画像８と同じ当該自動車の速度を表す画像であるが、速度メータ画像８より縮小され、速度メータ画像８と異なる形態の画像である。具体的に、縮小計器画像８ｂは、指針画像８１と目盛画像８２と文字画像８３の代わりに、当該自動車の速度を表す数字画像８１ｂと、目盛画像８２を縮小した縮小目盛画像８２ｂであって目盛画像８２の配列形状（図２（ａ）において円弧状）を略相似的に縮小した形状（図２（ｃ）において円弧状）に沿って配列した目盛画像８２ｂとを備える。また、数字画像８１ｂは、目盛画像８２ｂによって囲まれた内側に設けられる。
【００２８】
速度メータ画像８から縮小計器画像８ｂへ表示を切り替えた際に、速度メータ画像８に組み合わせて配置されていたインジケータ／ウォーニング画像９４を、インジケータ／ウォーニング画像９４ｂとして目盛画像８２ｂの一部にこの一部を隠蔽するように重ねて表示する。具体的に、この重ねて表示する領域においてインジケータ／ウォーニング画像９４ｂを表示し、この重ねて表示する領域において目盛画像８２ｂを表示させない。
【００２９】
これにより、速度メータ画像８を縮小して表示させる際に、速度メータ画像８に組み合わせて配置されるインジケータ／ウォーニング画像９４の表示領域を確保できる。
【００３０】
尚、図２（ｃ）中のインジケータ／ウォーニング画像９４ｂを表示させない場合は、この重ねて表示する領域において目盛画像８２ｂを表示させる。また、速度メータ画像８から縮小計器画像８ｂへの表示切替に伴って、図２（ａ）中のインジケータ／ウォーニング画像９３を、図２（ｃ）中のインジケータ／ウォーニング画像９３ｂへ配置変更する。
【００３１】
中間計器画像８ａは、速度メータ画像８と同じ当該自動車の速度を表す画像であり、速度メータ画像８と同じ大きさの画像であるが、速度メータ画像８と形態が異なり、縮小計器画像８ｂと同じ形態の画像である。具体的に、中間計器画像８ａは、目盛画像８２と同じ目盛画像８２ａと、指針画像８１と文字画像８３の代わりに数字画像８１ｂと同じ数字画像８１ａとを備える。
【００３２】
また、中間計器画像８ａとインジケータ／ウォーニング画像９３ａ、９４ａの相対的な配置関係を、縮小計器画像８ｂとインジケータ／ウォーニング画像９３ｂ、９４ｂの相対的な配置関係と同一にする。具体的に、インジケータ／ウォーニング画像９４ａを、目盛画像８２ａの一部にこの一部を隠蔽するように重ねて表示する。具体的に、この重ねて表示する領域においてインジケータ／ウォーニング画像９４ａを表示し、この重ねて表示する領域において目盛画像８２ａを表示させない。
【００３３】
尚、図２（ｂ）中のインジケータ／ウォーニング画像９４ａを表示させない場合は、重ねて表示する領域において目盛画像８２ａを表示させる。
【００３４】
中間計器画像８ａが、速度メータ画像８と同じ大きさで且つ縮小計器画像８ｂと形態が同一であるため、速度メータ画像８と縮小計器画像８ｂとの間で表示を切り替える際、この表示切替による画像の変化を緩和できる。即ち、この表示切替の間で中間計器画像８ａへ表示を切り替えることによって、速度メータ画像８と縮小計器画像８ｂとの間の表示切替による画像の形態と大きさとの両方の変化を、速度メータ画像８と中間計器画像８ａとの間の表示切替による画像の形態の変化と、縮小計器画像８ｂと中間計器画像８ａとの間の表示切替による画像の大きさの変化とに分けることができる。このため、速度メータ画像８と縮小計器画像８ｂとの間の表示切替による画像の変化を緩和できる。
【００３５】
また、縮小計器画像８ｂの大きさまで徐々に中間計器画像８ａを縮小するため、中間計器画像８ａから縮小計器画像８ｂへの表示切替による大きさの変化を緩和でき、このため、速度メータ画像８から縮小計器画像８ｂへの表示切替による画像の変化をより緩和できる。
【００３６】
一方、回転メータ画像７においても、速度メータ画像８と同様に、ナイトビジョンスイッチ１１がオフされている場合、図２（ａ）に示す回転メータ画像７を液晶パネル２に表示し、ナイトビジョンスイッチ１１がオンされると、回転メータ画像７から図２（ｂ）に示す中間画像７ａへ表示を切り替える。ナイトビジョンスイッチ１１がオンされてから上述の所定時間を経過する間に、図２（ｃ）に示す縮小画像７ｂの大きさまで徐々に中間画像７ａを縮小して、中間画像７ａから縮小画像７ｂに表示を切り替える。
【００３７】
縮小画像７ｂは、回転メータ画像７と同じ当該自動車のエンジン回転数を表す画像であるが、回転メータ画像７より縮小され、回転メータ画像７と異なる形態の画像である。縮小画像７ｂは、縮小計器画像８ｂとも異なる形態の画像であり、具体的に、指針画像７１と目盛画像７２と文字画像７３の代わりに、指針画像７１より縮小した指針画像７１ｂと、目盛画像７２を縮小した目盛画像７２ｂであって目盛画像７２の配列形状（図２（ａ）において円弧状）を略相似的に縮小した形状（図２（ｃ）において円弧状）に沿って配列した目盛画像７２ｂとを備える。回転メータ画像７から縮小画像７ｂへの表示切替に伴って、図２（ａ）中のインジケータ／ウォーニング画像９１，９２を、図２（ｃ）中のインジケータ／ウォーニング画像９１ｂ、９２ｂへ配置変更する。
【００３８】
中間画像７ａは、回転メータ画像７と同じ大きさの画像であるが、回転メータ画像７と形態が異なり、縮小画像７ｂと同じ形態の画像である。また、中間画像７ａとインジケータ／ウォーニング画像９１ａ、９２ａの相対的な配置関係を、回転メータ画像７とインジケータ／ウォーニング画像９１、９２の相対的な配置関係と同一にする。
【００３９】
このように、縮小画像７ｂと縮小計器画像８ｂに表示を切り替えることによって、図２（ｃ）に示すように、回転メータ画像７と速度メータ画像８が表示されていた領域から縮小画像７ｂと縮小計器画像８ｂが表示されている領域を差し引いた領域を利用して、ナイトビジョン画像１３を表示する。即ち、縮小画像７ｂと縮小計器画像８ｂに切り替えたことによって生じた領域を、有効に利用することができ、このため、限られたスペースで多くの情報を表示できる。
【００４０】
以上、本実施形態による表示装置１は、指針および目盛を少なくとも有する計器画像である速度メータ画像８と速度メータ画像８に組み合わせて配置される情報画像であるインジケータ／ウォーニング画像９４とを表示可能な表示パネルである液晶パネル２と、速度メータ画像８を縮小して縮小計器画像８ｂを表示可能なように液晶パネル２の表示状態を制御する制御手段であるＣＰＵ４と描画ＩＣ５とを備え、縮小計器画像８ｂを表示する際には、目盛を構成する目盛画像８２ｂの一部に一部を隠蔽するようにインジケータ／ウォーニング画像９４ｂを重ねて表示する。
【００４１】
これにより、指針と目盛を少なくとも有する計器画像を縮小して表示させる際に、情報画像の表示領域を確保できる。
【００４２】
（変形例）
上述の例では、インジケータ／ウォーニング画像９４ｂを目盛画像８２ｂの一部にこの一部を隠蔽するように重ねて表示した。具体的に、この重ねて表示する領域において、インジケータ／ウォーニング画像９４ｂを表示し、目盛画像８２ｂを表示させなかったが、これに限らない。この重ねて表示する領域において、インジケータ／ウォーニング画像９４ｂの明度より低い明度で目盛画像８２ｂを表示することが可能である。
【００４３】
これにより、上述の効果を得つつ、インジケータ／ウォーニング画像９４ｂの視認性を確保できる。
【００４４】
上述の例では、目盛画像８２を円弧状に配列したが、楕円弧状に配列することも可能である。
【００４５】
上述の例では、当該車両の速度の増減に従って指針画像８１が回動したが、これに限らない。図３（ａ）に示すように、速度メータ画像８０において、指針画像８１０が、当該車両の速度の増減にしたがって、水平方向（図３（ａ）において左右方向）へ動くように、指針画像８１０や目盛画像８２０や文字画像８３０等を表示することも可能である。
【００４６】
この場合、縮小計器画像８０ｂは、速度メータ画像８０と同じ当該自動車の速度を表す画像であるが、速度メータ画像８０より縮小され、速度メータ画像８０と異なる形態の画像である。具体的に、縮小計器画像８０ｂは、指針画像８１０と目盛画像８２０と文字画像８３０の代わりに、当該自動車の速度を表す数字画像８１０ｂと、目盛画像８２０を縮小した目盛画像８２０ｂであって目盛画像８２の配列ラインの形状（図３（ａ）において左右方向の直線状）を略相似的に縮小した縮小ライン（図３（ｃ）において左右方向の直線）上に配列した目盛画像８２０ｂとを備える。また、数字画像８１０ｂは、目盛画像８２０ｂに近接させて設けられる。
【００４７】
速度メータ画像８０から縮小計器画像８０ｂへ表示を切り替えた際に、速度メータ画像８０に組み合わせて配置されていたインジケータ／ウォーニング画像９４を、このインジケータ／ウォーニング画像９４ｂとして、縮小目盛画像８２０ｂの一部にこの一部を隠蔽するように重ねて表示する。具体的に、この重ねて表示する領域において、インジケータ／ウォーニング画像９４ｂを表示し、目盛画像８２０ｂを表示させない。
【００４８】
これにより、速度メータ画像８０を縮小して表示させる際に、速度メータ画像８０に組み合わせて配置されるインジケータ／ウォーニング画像９４の表示領域を確保できる。また、速度メータ画像８０から縮小計器画像８０ｂへの表示切替に伴って、図３（ａ）中のインジケータ／ウォーニング画像９３を、図３（ｃ）中のインジケータ／ウォーニング画像９３ｂへ配置変更する。
【００４９】
中間計器画像８０ａは、速度メータ画像８０と同じ当該自動車の速度を表す画像であり、速度メータ画像８０と同じ大きさの画像であるが、速度メータ画像８０と形態が異なり、縮小計器画像８０ｂと同じ形態の画像である。具体的に、中間計器画像８０ａは、目盛画像８２０と同じ目盛画像８２０ａと、指針画像８１０と文字画像８３０の代わりに数字画像８１０ｂと同じ数字画像８１０ａとを備える。
【００５０】
また、中間計器画像８０ａとインジケータ／ウォーニング画像９３ａ、９４ａの相対的な配置関係を、縮小計器画像８０ｂとインジケータ／ウォーニング画像９３ｂ、９４ｂの相対的な配置関係と同一にする。具体的に、インジケータ／ウォーニング画像９４ａを、目盛画像８２０ａの一部にこの一部を隠蔽するように重ねて表示する。具体的に、この重ねて表示する領域において、インジケータ／ウォーニング画像９４ａを表示し、目盛画像８２ａを表示させない。
【００５１】
尚、図２（ｂ）中のインジケータ／ウォーニング画像９４ａを表示させない場合は、この重ねて表示する領域において目盛画像８２０ａを表示させる。
【００５２】
上述の例では、インジケータ／ウォーニング画像９４ｂを目盛画像８２ｂ、８２０ｂの一部にこの一部を隠蔽するように重ねて表示したが、これに限らない。図４（ａ）に示すように、縮小計器画像８００ｂは、目盛画像８２１ｂの輪郭が部分的に省略された領域８５０ｂを有して表示されるようにすることが可能である。また、図４（ｂ）に示すように、インジケータ／ウォーニング画像９４ｂが、領域８５０ｂに表示されるようにする。
【００５３】
上述の例では、インジケータ／ウォーニング画像９４ｂを表示させない場合は、重ねて表示する領域において、目盛画像８２ｂ、８２０ｂを表示させた。これに対して、本変形例では、インジケータ／ウォーニング画像９４ｂを表示させない場合も、領域８５０ｂにおいて目盛画像８５１ｂを表示させない。これによっても、指針と目盛を少なくとも有する計器画像を縮小して表示させる際に、情報画像の表示領域を確保できる。
【００５４】
上述の例では、ナイトビジョンスイッチ１１がオンした場合を例に説明したが、ナイトビジョンスイッチ１１がオフする場合も同様である。この場合、縮小計器画像８ｂから中間計器画像８ａに表示を切り替えてから、速度メータ画像８に表示を切り替える。
【００５５】
また、液晶パネル２を、フルカラー表示をしないモノクロ液晶パネルとすることも可能である。
【００５６】
また、受光型（非発光型）の表示パネルである液晶パネル２の代わりに、発光型の表示パネルであるＥＬ（エレクトロ・ルミネセンス）表示パネルを使用することも可能である。
【００５７】
また、上述した例に限らないで、これらの組み合わせや、他の種々の変形例が考えられる。
【図面の簡単な説明】
【００５８】
【図１】図１は、本発明の一実施形態による表示装置1の回路構成図である。
【図２】図２は、図１に示す液晶パネル２の正面図であり、図２（ａ）は、速度メータ画像８を表示している液晶パネル２の正面図であり、図２（ｂ）は、中間計器画像８ａを表示している液晶パネル２の正面図であり、図２（ｃ）は、縮小計器画像８ｂを表示している液晶パネル２の正面図である。
【図３】図３は、図２中の速度メータ画像８、中間計器画像８ａ、縮小計器画像８ｂの変形例を示す拡大正面図である。
【図４】図４は、図２中の縮小計器画像８ｂの変形例を示す拡大正面図である。
【符号の説明】
【００５９】
１  表示装置、２  液晶パネル（表示パネル）、２１  画素、３  発光ダイオード
４  ＣＰＵ（制御手段）、４１  ＲＯＭ、５  描画ＩＣ（制御手段）、５１  画像メモリ
６１  速度センサ、６２  インジケータ／ウォーニングセンサ、７  回転メータ画像
７ａ  中間画像、７ｂ  縮小画像、７１、７１ａ、７１ｂ  指針画像
７２、７２ａ、７２ｂ  目盛画像、７３  文字画像
８、８０  速度メータ画像（計器画像）、８ａ、８０ａ  中間計器画像
８ｂ、８０ｂ、８００ｂ  縮小計器画像、８１，８１０  指針画像
８１ａ、８１ｂ、８１０ａ、８１０ｂ  数字画像、８１ｃ  回転中心
８２，８２ａ，８２ｂ、８２０，８２０ａ、８２０ｂ、８２１ｂ  目盛画像
８３，８３０  文字画像、８５０ｂ  領域
９１−９３ｂ  インジケータ／ウォーニング画像
９４−９４ｂ  インジケータ／ウォーニング画像（情報画像）
１０  ナイトビジョンＥＣＵ、１１  ナイトビジョンスイッチ
１２  赤外線カメラ、１３  ナイトビジョン画像
【図１】
2008267880.tif 000003
【図２】
2008267880.tif 000004
【図３】
2008267880.tif 000005
【図４】
2008267880.tif 000006